(57)【要約】【課題】相反する密封性と開封性の二つの機能を満たすと共に、頂部を全面開口できるゲーブルトップ型の易開封性紙容器を提供することにある。【解決手段】本発明は、外層、紙を主体とした中間層、内層とから構成されている積層体を用いて、４枚の側パネルからなる４角柱状の胴部の側パネルの上辺に連設された対向する一対の妻パネルがそれぞれ斜め折れ線によって内側に折り込まれ、同時に、前記妻パネルの上辺に連設された内側リブパネルが中央の折れ線で二つに折られ、それに連動して、対向するもう一対の屋根パネルが内側に倒れ込み、該屋根パネルに連設された外側リブパネルも同時に内側に倒れ込み、該外側リブパネルが二つに折り畳まれた前記内側リブパネルを間に挟みこんで合掌シールされることにより、トップシール部が形成され、頂部が切妻型屋根状に形成されているゲーブルトップ型の紙容器において、対向する一対の前記外側リブパネルの上辺に指で摘まんでトップシール部を開封して頂部を全面開口するための開封片が設けられていることを特徴とする易開封性紙容器である。【選択図】図１
2005306424.tif 000002
【特許請求の範囲】
【請求項１】
外層、紙を主体とした中間層、内層とから構成されている積層体を用いて、４枚の側パネルからなる４角柱状の胴部の側パネルの上辺に連設された対向する一対の妻パネルがそれぞれ斜め折れ線によって内側に折り込まれ、同時に、前記妻パネルの上辺に連設された内側リブパネルが中央の折れ線で二つに折られ、それに連動して、対向するもう一対の屋根パネルが内側に倒れ込み、該屋根パネルに連設された外側リブパネルも同時に内側に倒れ込み、該外側リブパネルが二つに折り畳まれた前記内側リブパネルを間に挟みこんで合掌シールされることにより、トップシール部が形成され、頂部が切妻型屋根状に形成されているゲーブルトップ型の紙容器において、
指で摘まんでトップシール部を開封して頂部を全面開口するための開封片が対向する一対の前記外側リブパネルのそれぞれ上辺に設けられていることを特徴とする易開封性紙容器。
【請求項２】
前記開封片が前記外側リブパネルの上辺の全長に渡って設けられていることを特徴とする請求項１に記載の易開封性紙容器。
【請求項３】
前記開封片が前記外側リブパネルの上辺の一部の略中央部に設けられていることを特徴とする請求項１に記載の易開封性紙容器。
【請求項４】
前記内側リブパネルの上辺と前記外側リブパネルの側辺とが形成する角を、アールを有する角としていることを特徴とする請求項１乃至３のいずれかに記載の易開封性紙容器。
【請求項５】
トップシール部のシールパターンを上下に横断線で二分して上部分と下部分とし、前記下部分はシール面同士が材質破壊を起こす接着強度とし、前記上部分はシール面同士が界面破壊を起こす接着強度としたことを特徴とする請求項１乃至４のいずれかに記載の易開封性紙容器。
【発明の詳細な説明】
【技術分野】
【０００１】
本発明は液体、顆粒状物などの内容物を収容する易開封性機能を有するゲーブルトップ型の易開封性紙容器に関するものである。
【背景技術】
【０００２】
牛乳、果汁飲料、乳製飲料、ミネラルウオーター等の液体あるいは顆粒状物を収容する紙容器としてゲーブルトップ型の紙容器（切妻屋根型紙容器）が定着している。このゲーブルトップ型の紙容器は、表面にポリエチレン等の熱可塑性樹脂をラミネートした板紙、さらに酒類等の容器にあってはアルミ箔等を積層してなる板紙からなるブランクから形成され、糊代パネルを側パネルの端部内面に接着して角筒状した後、底部を閉鎖し、中に内容物である液体を充填してから、頂部を屋根型に成形することにより形成されている。ここで、頂部は、対向する一対の側パネルの上辺に連設した妻パネルを斜め罫線で折り込むと同時に他の対向する一対の側パネルの上辺に連設した屋根パネルを上部横罫線で傾斜させ、妻パネルの上辺に連設した内側リブパネルを屋根パネルの上辺に連設した外側リブパネルで挟持した状態で各リブパネルの接着領域を互いにヒートシールしてトップシール部とすることで形成される。実際に使用する時の開封方法は、一方の妻パネルを開き、ヒートシールしたトップシール部の一部で内側リブパネルを外側リブパネルから剥がしながら折り込まれた妻パネルを引き起こして開口させ、注出口を形成するものが一般的である。
【０００３】
しかし、従来のゲーブルトップ型の紙容器を消費者が実際に開封する時、紙容器の流通段階での液漏れ等を少なくするために、成形充填機におけるヒートシール時の圧力を高める傾向にあり、場合によっては、トップシール部において妻パネルを押し広げた後、トップシール部の一部を剥がしながら妻パネルを引き出して注ぎ口を形成することが難しく、開封のしやすさについては十分満足できるものではないという問題がある。一方において、清潔で開封しやすい注出口を有する紙容器という要求は強まっており、このような二律背反的問題をかかえている。
【０００４】
これに対し、開封を容易にするための工夫が多数提案されている。例えば、折り込まれた妻パネルのシール部の上端にフィルム片や紐、紙片などの引出し用つまみとなる部材を貼り付けるなどした構造（例えば、特許文献１、特許文献２参照。）等が提示されている。また、このゲーブルトップ型紙容器の注出口として、リブパネルの内面に抗ヒートシール剤が部分コートし、重ね合わせてヒートシールされたトップシール部のヒートシール強度を弱めることにより、トップシール部の一部を開封し易くした形状が多く使用されている。
【特許文献１】特開平３−５６２３５号公報
【特許文献２】実開昭５２−１３１３３８号公報
【発明の開示】
【発明が解決しようとする課題】
【０００５】
しかしながら、これらの構造ではいずれも、トップシール部の一部で内側リブパネルを外側リブパネルから剥がしながら折り込まれた妻パネルを引き起こす際に引出用つまみとなる部分が切断したり、剥がれたりするという欠点があった。また、いずれの場合も、ユーザーはしばしば注ぎ口を構成する妻パネルの上部中央と、それに連設するリブパネルとを指で摘むようにして引き出す方法であり、注ぎ口に直接手が触れることは衛生面から好ましいものではなかった。さらに、内容物を一度に大量に注ぎ出す場合、内容物が高粘度の場合等に内容物を注ぎ出すのに手間がかかるという問題があった。
【０００６】
本発明はこのような問題に鑑みてなされたもので、相反する密封性と開封性の二つの機能を満たすと共に、頂部を全面開口できるゲーブルトップ型の易開封性紙容器を提供することを目的とするものである。
【課題を解決するための手段】
【０００７】
前記課題を解決するためになされた本発明の要旨は次の通りである。
１）外層、紙を主体とした中間層、内層とから構成されている積層体を用いて、４枚の側パネルからなる４角柱状の胴部の側パネルの上辺に連設された対向する一対の妻パネルがそれぞれ斜め折れ線によって内側に折り込まれ、同時に、前記妻パネルの上辺に連設された内側リブパネルが中央の折れ線で二つに折られ、それに連動して、対向するもう一対の屋根パネルが内側に倒れ込み、該屋根パネルに連設された外側リブパネルも同時に内側に倒れ込み、該外側リブパネルが二つに折り畳まれた前記内側リブパネルを間に挟みこんで合掌シールされることにより、トップシール部が形成され、頂部が切妻型屋根状に形成されているゲーブルトップ型の紙容器において、対向する一対の前記外側リブパネルの上辺に指で摘まんでトップシール部を開封して頂部を全面開口するための開封片が設けられていることを特徴とする易開封性紙容器である。
２）前記開封片が前記外側リブパネルの上辺の全長に渡って設けられていることを特徴とする。
３）前記開封片が前記外側リブパネルの上辺の一部の略中央部に設けられていることを特徴とする。
４）前記内側リブパネルのそれぞれ上辺と前記外側リブパネルの側辺とが形成する角を、アールを有する角としていることを特徴とする。
５）トップシール部のシールパターンを上下に横断線で二分して上部分と下部分とし、前記下部分はシール面同士が材質破壊を起こす接着強度とし、前記上部分はシール面同士が界面破壊を起こす接着強度としたことを特徴とする。
【発明の効果】
【０００８】
本発明のゲーブルトップ型の紙容器は、対向する一対の屋根パネルに連設したリブパネルにさらに開封片を連設することにより、この開封片が指で持ち易く、指で持って両側に引っ張ることにより、トップシール部を容易に引き剥がして頂部を全面開口することを可能にしているという効果を有している。このように、頂部が全面開口することによって、内容物が高粘度のものの場合、あるいは、液体で充填した後固体化したもの、例えば、豆腐、寒天等の場合にも、注ぎ出すことが可能となるという効果を有している。
【０００９】
また、内側リブパネルのそれぞれ上辺と外側リブパネルの側辺とが形成する角を、アールを有する角とすることにより、開封片を持ってトップカール部を引き剥がす時に、外側リブパネルと内側リブパネルとを引き剥がす前に、折り畳まれた外側リブパネルと内側リブパネルとの折れ線が引き裂かれて開封しにくくなることを防いでいる。
【００１０】
さらに、トップシール部のシールパターンを上下に横断線で二分して上部分と下部分とし、下部分はシール面同士が材質破壊を起こす接着強度とし、上部分はシール面同士が界面破壊を起こす接着強度とし、そして、上部分の領域内に内側に折り込まれた内側リブパネルの上縁部分を含むことにより、内側リブパネルの上縁部分を剥離しやすくなり、トップシール部全体が剥がしやすくなるという効果を有している。
【発明を実施するための最良の形態】
【００１１】
以下、本発明を図面を用いてさらに詳しく説明する。
【００１２】
図１は、本発明による易開封性紙容器を示す斜視図である。易開封性紙容器Ａは、胴部Ｄ、底部Ｂ、そして、頂部Ｔとからなり、外層、紙を基材とする中間層、そして内層から構成されている積層体を用いて、４枚の側パネルからなる４角柱状の胴部Ｄの側パネルの上辺に連設された対向する一対の妻パネル１Ｔ（図示せず）、３Ｔをそれぞれ斜め折れ線によって内側に折り込み、同時に、その妻パネル１Ｔ、３Ｔの上辺に連設された内側リブパネル１Ｒ、３Ｒ（図示せず）は中央の折れ線で二つに折られ、それに連動して、屋根パネル２Ｔ、４Ｔ（図示せず）が内側に倒れ込み、そして、屋根パネル２Ｔ、４Ｔの上辺に連設された外側リブパネル２Ｒ（図示せず）、４Ｒ（図示せず）が、同時に内側に折り曲げられ、２重に折り畳まれた内側リブパネル１Ｒ、３Ｒを間に挟みこんで合掌シールされることにより、トップシール部Ｒが形成され、頂部Ｔが切妻型屋根状に形成されているゲーブルトップ型紙容器である。そして、ヒートシールされたトップシール部Ｒには、上辺に開封片Ｐ、Ｐが設けられている。すなわち、外側リブパネル２Ｒ、４Ｒの上辺に開封片Ｐ、Ｐが設けられている。この両開封片Ｐ、Ｐを指で持って両側に引っ張ってトップシール部Ｒにおける外側リブパネル２Ｒと外側リブパネル４Ｒを引き剥がすことにより、易開封性紙容器Ａを開封することができ、そして、頂部Ｔを全面開口することができる。
【００１３】
図２は、本発明による易開封性紙容器Ａのブランク１０の展開図である。図２に示すように、易開封性紙容器Ａの胴部Ｄを形成する側パネル１、２、３、４と糊代パネル５が折れ線ａ、ｂ、ｃ、ｄを介して連設され、その側パネル２、４の上辺には切妻型屋根を形成する屋根パネル２Ｔ、４Ｔが折れ線ｅ、ｅを介して連設され、そして、側パネル１、３の上辺には切妻（切妻屋根の両端の山形の壁の部分）に相当する妻パネル１Ｔ、３Ｔが折れ線ｅ、ｅを介して連設されている。そして、妻パネル１Ｔ、３Ｔには該妻パネル１Ｔ、３Ｔを斜めに折り込むための折れ線ｇ、ｇがそれぞれ設けられている。また、妻パネル１Ｔ、３Ｔの上辺には内側リブパネル１Ｒ、３Ｒが折れ線ｈ、ｈを介してそれぞれ連設され、屋根パネル２Ｔ、４Ｔの上辺には内側リブパネル１Ｒ、３Ｒを包み込んで合掌シールする外側リブパネル２Ｒ、４Ｒが折れ線ｈ、ｈを介してそれぞれ連設されている。また、外側リブパネル２Ｒ、４Ｒの幅を、内側リブパネル１Ｒ、３Ｒの幅より広く設定している。そして、内側リブパネル１Ｒ、３Ｒには中央に縦状に折れ線ｉ、ｉが設けられている。充填後、全てのリブパネル同志のヒートシールによって、トップシール部Ｒが形成される。
【００１４】
本発明による易開封性紙容器の主要なる点は、トップシール部Ｒとなる外側リブパネル２Ｒ、４Ｒに連設して開封片Ｐ、Ｐを設けていることである。この開封片Ｐ、Ｐは、外側リブパネル２Ｒ、４Ｒの上辺に折れ線ｊ、ｊを介してそれぞれ設けているが、必ずしも折れ線ｊ、ｊは必要ではなく、外側リブパネル２Ｒ、４Ｒの上辺に折れ線なしで延設してもよい。本例では、外側リブパネル２Ｒ、４Ｒの上辺の全幅に渡って設けているが、図３に示すように、外側リブパネル２Ｒ、４Ｒの上辺の一部、特に略中央部に設けてもよく、その場合、形状としては、指で摘み易い形状とし、図３に示すような半円形以外に、台形、三角形等とすることができる。また、開封片Ｐ、Ｐの幅あるいは高さを、指で摘みやすいように、５ｍｍ以上とし、好ましくは１０〜３０ｍｍの範囲とする。
【００１５】
また、本発明の易開封性紙容器においては、図４の部分拡大図に示すように、内側リブパネル１Ｒ、３Ｒのそれぞれ上辺と外側リブパネル２Ｒ、４Ｒの側辺とが形成する角αを、アールを有する角としている。この角αにアールを持たせることにより、開封片Ｐ、Ｐを持ってトップカール部Ｒを引き剥がす時に、外側リブパネル２Ｒ、４Ｒと内側リブパネル１Ｒ、３Ｒとを引き剥がす前に、折り畳まれた外側リブパネル２Ｒ、４Ｒと内側リブパネル１Ｒ、３Ｒとの折れ線ａ、ｂ、ｃ、ｄが引き裂かれて開封しにくくなることを防いでいる。このアールは３ｍｍ以上とし、好ましく５〜１０ｍｍの範囲とする。
【００１６】
なお、底部Ｂを形成する各底パネルは胴部Ｄを形成する各胴部側パネルの下辺に折れ線ｆを介して連設され、これらがヒートシールされて平らな液洩れのない底部Ｂが形成されている。
【００１７】
上記のブランク１０から本発明の易開封性紙容器Ａを成形するには、公知のゲーブルトップ型の紙容器を製造する工程で製造することができ、まず、折れ線ａと折れ線ｃによってブランク１０を縦に三つ折りし、糊代パネル５と側パネル４、妻パネル４Ｔ、内側リブパネル４Ｒ、開封片Ｐをヒートシールして筒貼りし、フラットに折り畳まれた状態の易開封性紙容器Ａとする。これを成形充填機に供給して、角柱状に起こし、底部Ｂを成形し、内容物を充填後、切妻型屋根を成形し、そして、内側リブパネル１Ｒ、３Ｒ、外側リブパネル２Ｒ、４Ｒをヒートシールして密封しトップシール部Ｒを形成する。このトップシールは、まず、最初に妻パネル１Ｔ、３Ｔが、斜めの折れ線ｇ、ｇと折れ線ｅによって内側に折り込まれ、同時に、その上部の内側リブパネル１Ｒ、３Ｒは中央の折れ線ｉ、ｉで二つに折られ、それと連動して、屋根パネル２Ｔ、４Ｔが内側に倒れ込み、そして、残る外側リブパネル２Ｒ、４Ｒも同時に内側に倒れ込み、二つ折り畳まれた内側リブパネル１Ｒ、３Ｒを間に挟みこんで合掌シールされることにより、トップシール部Ｒが形成され、屋根が切妻型屋根状に成形されたゲーブルトップ型の本易開封性紙容器Ａに仕上げられる。
【００１８】
トップシール部Ｒを形成するシールパターンを、従来のシールパターンＭ（斜線部）では、図５−ａに示すように、内側リブパネル１Ｒ、３Ｒを内側に折り込み、外側リブパネル２Ｒ、４Ｒの部分全体としており、加圧してヒートシールしたシール面同士が材質破壊を起こす接着強度としているが、本発明の易開封性紙容器ＡのシールパターンＮでは、トップシール部Ｒを上下に横断線（一点破線）で二分して、上の部分を上部分ＮＵ（細斜線部）とし、下の部分を下部分ＮＤ（斜線部）とし、下部分ＮＤの領域ではシール面同士が材質破壊を起こす接着強度としているが、上部分ＮＵの領域ではシール面同士が界面破壊を起こす接着強度としている。この上部分ＮＵの領域には、内側に折り込まれた内側リブパネル１Ｒ、３Ｒの上縁部分を含むことが好ましい。その上縁部分の幅ｒは２ｍｍ以上とすることが好ましい。この内側リブパネル１Ｒ、３Ｒの上縁部分を剥離しやすくすることにより、トップシール部Ｒ全体が剥がしやすくなる。
【００１９】
トップシール部Ｒの上部分ＮＵをシール面同士が界面破壊を起こす接着強度とする具体的な方法としては、上部分ＮＵの加圧する圧力を、下部分ＮＤの加圧する圧力より低くする方法、あるいは、上部分ＮＵとなる内側リブパネル１Ｒ、３Ｒ、外側リブパネル２Ｒ、４Ｒの内面に抗ヒートシール剤を塗布する方法等がある。
【００２０】
なお、下部分ＮＤの中央部では、従来のシールパターンと同様に、内側に折り込まれた内側リブパネル１Ｒ、３Ｒ同士の間隙を埋めるためにのさらに強い圧力で加圧している。
【００２１】
なお、角筒状にサック貼りする場合、内容物の液体が紙を伝わって洩れるのを防ぐため、必要に応じて貼り合せる内側の端縁の内側部分に沿ってスカイブヘミング加工を施すことが行われる。
【００２２】
本発明の易開封性紙容器の材料である積層体は、外層、紙を主体とした中間層、そして内層とから構成されている。外層および内層は、ポリオレフィン系樹脂からなり、そのポリオレフィン系樹脂としては、低密度ポリエチレン、線状低密度ポリエチレン、中密度ポリエチレン、ポリプロピレン、アイオノマー、エチレン・酢酸ビニル共重合体、エチレン・アクリル酸共重合体、エチレン・アクリル酸エステル、エチレン・ビニルアルコール共重合体などの中から選択すればよい。また、中間層は、紙を主体とした層であり、紙単体あるいは紙に他のプラスチックの層を積層したものである。例えば、アルミニウム箔等を加えた多層とすることができ、具体的には、中間層を紙／エチレン系共重合体からなる接着性樹脂／アルミニウム箔／ポリエステルからなる構成などとし、全体として外側からポリエチレン／紙／エチレン系共重合体からなる接着性樹脂／アルミニウム箔／ポリエステル／ポリエチレンの構成の積層体などがあげられる。このエチレン系共重合体からなる接着性樹脂としては、エチレン−メタクリル酸共重合体（ＥＭＡＡ）、エチレン−アクリル酸共重合体（ＥＡＡ）などがあげられる。
【００２３】
積層体としては、中間層が紙にアルミニウム箔を積層し、かつ、そのアルミニウム箔が紙と内層との間に位置する構成である。例えば、上述した中間層の構成を紙／エチレン系共重合体からなる接着性樹脂／アルミニウム箔／ポリエステルとした、全体として外側からポリエチレン／紙／エチレン系共重合体からなる接着性樹脂／アルミニウム箔／ポリエステル／ポリエチレンの構成の積層体などである。
【００２４】
図６は本発明の易開封性紙容器の開封を説明する図である。本発明の易開封性紙容器Ａの開封は、極簡単で、図６−ａに示すように、ゲーブルトップ型の易開封性紙容器Ａの頂部のトップシール部Ｒに設けられた開封片を指で摘まんで両側方向に引っ張り引き剥がすだけであり、引き剥がすことにより、図６−ｂに示すように、頂部を全面開口することができ、図６−ｃに示すように、内容物を注ぎ出すことができる。
【００２５】
本発明による易開封性紙容器は上述した実施例に限定されることなく、本発明の要旨を逸脱しない範囲内で種々の変形が可能である。たとえば、本実施例のゲーブルトップ型紙容器のブランクはピュアーパック型で描かれているが他の種類のゲーブルトップ型紙容器にも有効である。また本発明による易開封性紙容器の水平断面は正方形であるが、矩形であってもよい。
【実施例】
【００２６】
つぎに、本発明の易開封性紙容器について実施例をあげて、さらに具体的に説明する。なお、本発明はこれによって限定されるものではない。
【００２７】
本発明による易開封性紙容器を内容量１８００ｍｌの感光材料であるトナーの容器として作製した。材料である積層体には、つぎの構成からなるものを使用した。すなわち、表面から順に、ポリエチレン２０μｍ／紙３５０ｇ／ｍ2／ＥＭＡＡ２０μｍ／アルミニウム箔６μｍ／ポリエステル１２μｍ／ポリエチレン６０μｍの層構成からなるもので、全体の坪量は４００ｇ／ｍ2である。この積層体を図２に示すような形状に打ち抜き工程でブランク１０に作製した。なお、内側リブパネル１Ｒ、３Ｒの幅は１０ｍｍとし、外側リブパネル２Ｒ、４Ｒの幅は１５ｍｍとし、そして、外側リブパネル２Ｒ、４Ｒには幅２５ｍｍの開封片Ｐ、Ｐをそれぞれ連設した。このブランク１０を使用して従来と同一の筒貼り機で筒貼りした後、従来と同一の内容物の成形充填機によって、成形、充填、シールを行った。このトップシール部Ｒのシールは、幅７ｍｍの下部分ＮＤと幅８ｍｍの上部分においてシール圧が異なるような形状のシールバーを使用して、下部分ＮＤの領域ではシール面同士が材質破壊を起こす接着強度としているが、上部分ＮＵの領域ではシール面同士が界面破壊を起こす接着強度とした。この上部分ＮＵの領域には、内側に折り込まれた内側リブパネル１Ｒ、３Ｒの上縁部分を３ｍｍ含むシールパターンとした。この製品を上端部のトップシール部Ｒに設けられた開封片Ｐ、Ｐを指で持って両側に引き剥がすことにより、トップシール部Ｒ全体を剥がし、全面開口することができ、内容物の顆粒を一度に大量に注ぎ出すことができた。
【産業上の利用可能性】
【００２８】
具体的な用例としては、飲料用、食材用、洗剤用、ペットフード用、工業材料用等の紙容器があげられる。特に、内容物を一度に大量に注ぎ出す場合、内容物が高粘度あるいは固形状の場合等に有効に利用できる紙容器である
【図面の簡単な説明】
【００２９】
【図１】本発明の易開封性紙容器の一実施形態を示す斜視図である。
【図２】本発明の易開封性紙容器の一実施形態のブランクを示す展開図である。
【図３】本発明の易開封性紙容器の別の実施形態の主要部を示す斜視図である。
【図４】図２のブランクの部分拡大図である。
【図５】従来の紙容器と本発明の易開封性紙容器のトップシール部のシールパターンの比較を示す平面図である。
【図６】本発明の易開封性紙容器を開封する方法を説明する図である。
【符号の説明】
【００３０】
Ａ      本発明による易開封性紙容器
Ｔ      頂部
Ｄ      胴部
Ｂ      底部
Ｒ      トップシール部
Ｐ      開封片
Ｍ      シールパターン（従来の）
Ｎ      シールパターン（本発明の）
ＮＵ    上部分
ＮＤ    下部分
１      側パネル
２      側パネル
３      側パネル
４      側パネル
５      糊代片
１Ｔ    妻パネル
２Ｔ    屋根パネル
３Ｔ    妻パネル
４Ｔ    屋根パネル
１Ｒ    内側リブパネル
２Ｒ    外側リブパネル
３Ｒ    内側リブパネル
４Ｒ    外側リブパネル
ａ〜ｊ  折れ線
【図１】
2005306424.tif 000003
【図２】
2005306424.tif 000004
【図３】
2005306424.tif 000005
【図４】
2005306424.tif 000006
【図５】
2005306424.tif 000007
【図６】
2005306424.tif 000008